(57)【要約】  本発明は、プリレコーデッド構造化情報を格納する記憶媒体を製造する方法において、イントラネット／インターネットを介してアクセスし得る注文管理トラッキングシステムと、異なるデータ源からユニバーサルデータモデルへの検索構造化情報の変換及び／又は選択的抽出と、注文管理トラッキングシステムから、対応する整合注文との情報の相関関係と、統一フォーマットでプリレコーデッド構造化情報を格納するなんらかの型式の記憶媒体の提供とを備える方法を記載する。【特許請求の範囲】
【請求項１】
プリレコーデッド構造化情報を格納する記憶媒体を製造する方法において、
イントラネット／インターネットを介してアクセスし得る注文管理トラッキングシステムと、異なるデータ源からユニバーサルデータモデルへの検索構造化情報の変換及び／又は選択的抽出と、注文管理トラッキングシステムから、対応する整合注文との情報の相関関係と、統一フォーマットでプリレコーデッド構造化情報を格納するなんらかの型式の記憶媒体の提供とを備える方法。
【請求項２】
注文管理トラッキングシステムが、検索部門又は情報ブローカーのワークフローをマッピングすると共に、注文管理、注文処理、文書化とアカウンティングを行う機能を果たすことを可能にする請求項１に記載の方法。
【請求項３】
注文管理トラッキングシステムが、ＳＡＰコンパチブル・フォーマットでのデータ伝送によるアカウンティングを可能にする請求項２に記載の方法。
【請求項４】
注文処理が、プロフェッショナル検索と情報編集を含む請求項２に記載の方法。
【請求項５】
情報編集が、情報ブローカーによる解析ファンクショナリティを利用することにより、注文処理の一体コンポーネントである請求項２に記載の方法。
【請求項６】
情報編集の一部として、プロフェッショナル及び／又はエンドユーザー源からの統一構造化情報が、情報ブローカー及び／又はカスタマによってインポート、アセンブル及び共同で解析される請求項５に記載の方法。
【発明の詳細な説明】
【技術分野】
【０００１】
本発明は、プリレコーデッド構造化情報を格納するなんらかの型式の記憶媒体を含む。
【背景技術】
【０００２】
ワークシーケンスを迅速に且つ効率的に実行できるように、構造化されて、従って、容易に処理可能に編集される情報への高い需要が、特に研究、又、法律的職業と、情報の処理に依存する責任の他の職業及び分野において存在する。それに加えて、この情報は、もし可能であれば、容易に得られて、迅速に且つどこでも利用できるべきである。
【０００３】
従来、情報の処理は、その情報を入手して手動で編集するスタッフメンバーの仕事であった。
【０００４】
電子機器の発展により、この仕事を支持及び加速するように意図された多くの方法が作製された。
【０００５】
従来技術から、情報の入手用、文書管理用と技術文献及び特許の解析用の種々のシステムが公知である。
【０００６】
情報を種々のやり方で入手することができる。特開平１０−０３１６８４号公報、特開平８−２７２８１８号公報、特開２００２−０７３６０６号公報と国際公開第０３／０９８４６９号からは、特許及び文献データベースの情報の自動検索の方法とシステムが公知である。
【０００７】
韓国特許出願公開第２００１−１０７７９７号と特開２００２−１６３２７５号公報では、得られた文書は、自動的検索に加えて自動的に分類される。特開２００１−３３７９９１号公報と米国特許第５７５２０２０号では、自動類似度チェックとダブレット整合方法も記載されている。これらの全ての方法は、共通に、検索中に情報ブローカーのノーハウと経験無しですますと共に、得られる検索結果の知的な整理と編集を全くしない。
【０００８】
韓国特許出願公開第２００１−１０７７９７号のみから、特許専門家により情報編集の一局面にすぎないコメント付与を文書に対して行う方法が公知である。
【０００９】
しかしながら、経験によって示されるように、情報の入手とその後の編集に情報ブローカーを含めることは極めて有用である。
【００１０】
反復して行われる検索中にクライアントと相談して注文の発行と注文のトラッキングをすることは、再び電子装置によって裏付けすることができる。
【００１１】
米国特許出願公開第２００３／１３５４０３号と米国特許出願公開第２００３／１４４９１６号から、注文管理トラッキングのシステムの自動文書化と通信（ｅメール）の利点が公知である。
【００１２】
米国特許出願公開第２００３／０５０８５２号と国際公開第０２／２５５４５号は、注文と情報の変化するステータスをトラッキングする可能性を記載する。例えば、国際公開第０１／９７１００号から、注文の発行にインターネットを利用することが公知である。
【００１３】
特許及び商標を出願するためのワークフロー（国際公開第０１／９７１００号、国際公開第２０１／８６５２２号）、国内段階文書をそのＰＣＴ出願と整合させるためのワークフロー（国際公開第０２／３７３４４号）とＩＰ管理用のワークフロー（米国特許出願公開第２００１／０３７４６０号、米国特許出願公開第２００１／０３９５０５号、国際公開２００１／５９６７９号）も公知である。
【００１４】
情報ブローカーによるプロフェッショナル検索のワークシーケンスとスペシフィックは、これまでどの公知のシステムと方法によっても記載されなかった。
【００１５】
プロフェッショナル検索によって得られる文書及び／又は、他のもの、例えば、カスタマによるエンドユーザー源のリサーチにより得られる情報の編集は他の局面である。米国特許第５，９９１，７５１号から、特許データベースや企業にとって関心のある情報を有する他のデータベースに基づくシステムが公知である。このシステムでは、種々のグループが形成され、各グループは、特許データベースの多数の特許を格納する。対応する指令に従って、グループの一つに属する特許は、別のデータベースの情報と一緒に処理される。例えば、特許引例、ある発明者の特許数等を自動的に見付けることもできる。
【００１６】
米国特許第５，７２１，９１０号から、互いに関係するカテゴリーの多次元階層モデルを格納するリレーショナルデータベースが公知である。このデータベースは、例えば、特許やこれらの特許の要約等の科学的又は技術的文書に含まれる重要性を決定すると共に、その文書を多次元階層モデルの特定の科学的又は技術的カテゴリーに割当てるに使用することができる。
【００１７】
米国特許第６，０３８，５６１号から、文書を管理及び解析するシステムが公知である。そのシステムは、インタラクティブであると共に、ワードベースの解析及び概念解析と情報の表示を可能にする。特定の適用分野は、例えば、特許クレーム等の特許文献の解析である。
【００１８】
国際公開第００／５２６１８号から、いわゆる「知的所有権資産管理」のためのシステムが公知である。このシステムでは、種々のデータベースからのデータが寄集められて、見積りと発明者詳細が評価される。
【００１９】
米国特許第５，９９９，９０７号から、ポートフォリオを評価するのに使用される知的所有権用チェックシステムが公知である。そのシステムは、産業的保護権利のポートフォリオに関する情報を格納するデータベースを含む。そのシステムは、ポートフォリオを評価する経験データを格納する他のデータベースを含む。このシステムでは、経済的価値に基づいて校正される質的特性数が決定される。
【００２０】
米国特許第６，０１４，６６３号から、特許出願における用語の統一された使用を確かめる文書解析システムが公知である。
【００２１】
米国特許第５，９９１，７８０号から、特許の本文と図面を選択的に使用するシステムが公知である。本文と図面は、別個のファイルに格納されると共に、ユーザーインターフェースに一緒に表される。
【００２２】
米国特許第５，９５０，２１４号、国際公開第００／１１５７５号と米国特許第６，０１８，７４９号から、特許文書を処理及び表示する他のシステムが公知である。
【００２３】
欧州特許出願第００１１８４５７号、Brockhoff K Kの「企業特許活動の指標（Indicators of Firm Patent Activities）」Portland, October 27-31, 1991, New York, IEEE, US, vol. October 1991 (1991-10), pages 476-481, XP002923550とStefanov Vの「企業方針の決定における特許データベースの可能性（Some Possibilities of a Patents Database in Determining a Firm's Policy）」World Patent Information, GB, Elsevier Sciences Publishing, Barking, vol. 17, No. 3, 1 September 1995 (1995-09-01), pages 201-204, XP004037786, ISSN:0172-2190から、特許解析方法も公知である。
【００２４】
これらの全ての公知システムは、データの解析やデータの検索等の部分局面を各場合に取扱うと共に、殆どの場合、データ源として特許文書にだけ向けられているという欠点を有する。公知のシステムでは、雑誌刊行物、レポートの形で社内で作製される構造化情報等の他の情報源は、統合されず、統合されても不完全である。それと対応して、異なるプロフェッショナル検索源からの文書を異なるエンドユーザー源又は内部源からの文書と寄集めることはなく、又、文書を共同で処理し得る解析及び処理ファンクショナリティは設けられていない。
【００２５】
これらの方法は、情報入手の分野におけるユーザー又はクライアントによる注文管理の問題又はトラッキングの問題さえも対処しない。
【発明の開示】
【発明が解決しようとする課題】
【００２６】
従って、従来技術に基づいて、本発明は、情報入手とエンドユーザーの間のワークシーケンスを支援し、異なるソースからの情報をその出所及び型式と独立した一様な仕上げ、構造化及び管理を保証すると共に、グループワークを許容する、コンピュータ支援情報管理と構造化情報の提供及び解析のための方法を提供することを目的としている。その方法は、効率的な注文管理とトラッキングを含むように意図されている。特に、それは、構造化情報を効率的に利用すること、よって、作業の質と効率を増大することを許容するように意図されている。
【課題を解決するための手段】
【００２７】
この目的は本発明にかかる方法によって達成される。これに関連して、種々の公知の概念を組合せると共に、ユニバーサルデータモデルを使用することにより、ユーザーにとってはるかにより簡単な操作と作業のより高い効率を可能にする解決がもたらされることは、特に驚くべきである。
【００２８】
このような方法は、現在、驚いて受けとめられた。本発明は、以下を含む方法を備える。
１．  イントラネット／インターネットでアクセスでき、好ましくは、検索デパートメントと情報ブローカーのための注文管理トラッキングシステムであって、
特に好ましい形で、対応するワークシーケンス（例えば、反復した文献と特許の検索、カスタマ関連データベースの保守）をマッピングし、好ましくは人及び／又は電子システムの実行ファンクションに、特にプロフェッショナル検索における注文管理及び注文処理と、得られた情報の編集／解析と、好ましくはＳＡＰコンパチブルデータフォーマットでの文書化及びアカウンティングとを可能にすると共に、好ましくは単一カスタマ及び／又はグループのカスタマであるカスタマに対して、注文の送達、ステータス制御、コスト制御、注文処理／結果調整についてのｅメール通知の受領を保証する注文管理トラッキングシステム、
２．  異なるデータ源から情報ブローカー及び／又はカスタマ等のプロフェショナルによって検索された構造化情報を、情報ブローカー及び／又はカスタマによって、データプール−文書−記述子−コンテントからなるユニバーサルデータモデルに変換及び／又は選択的抽出と組合せ、
３．  好ましくはタグ付け／コメント付与も可能である、注文管理トラッキングシステムからの対応する整合注文との情報の相関関係、
４．  好ましくは、例えば、仮想個人カスタマ／カスタマグループ・データベースとしてイントラネット／インターネットでアクセスできる中央データベースにおいてなんらかの型式の記憶媒体にユニファイドフォーマットで、又は、特に好ましくは、イントラネット／インターネットでアクセスできる中央データベースにおいてなんらかの型式の固定式又は携帯式記憶媒体にファイルフォーマットで、構造化情報の提供、
該提供により、
・データベース又はファイル内の構造化情報のファンクショナリティに定義される以後の処理が、視角表示、ソート、検索、解析、コメント付与、オーガナイズ（データ／データプールの削除、格納、グループ化、マーキング）、構造化データのインポート、エクスポート、文書のアペンド、追加情報でのイントラネット／インターネットサービスへのアクセス（例えば、注文サービス、オリジナルの表示）により、可能となり、このファンクショナリティは、ユーザーのオーソライゼーションに応じてライセンスキーシステムにより制御され得る、
及び／又は
・データマイニング・ファンクションによるデータの以後の更なる解析が、とりわけ、１次元及び多次元記述子解析（ヒストグラム、２−Ｄ頻度行列）、記述子ベースの指紋ベクトルに基づく自動クラスタ及び類似度解析、マルチトランク・ブール・フルテキスト検索、生物学的配列の比較、化学構造及び反応の場合の構造／サブ構造類似度解析に対して可能となる。
【００２９】
本発明の方法によって構造化形式で処理、収集及び利用できるデータコンテンツは、例えば、以下の分野：
−化学、例えば、又、構造、反応、スペクトル、
−生化学、生命科学、特に、又、ＤＮＳ／たんぱく質、ペプチド／バイオポリマー配列（又、カーボハイドレート）、
−毒物学、特に、エコトキシコロジー、
−ポリマー化学、
−好ましくは、材料特性／材料試験／分析の分野からの物理学、
プロセス技術、プラント建設、プロセスパラメータ、パラメータ制御等のエンジニアリング、
又、以下の分野：
−市場研究、生産と消費、経済ニュース、
−判例法又は国際法等の法律、
からの構造化情報、例えば、記述子−コンテント、テキスト及びグラフィックスであり得る。
【００３０】
本発明の方法で使用されるデータ源は：
−種々のホストのデータベース、例えば、STN、Dialog、Datastar、DIMDI、Questel、FIZ Technik等、又は
−自身のフォーマットを有する個々のデータベース、例えば、Scifinder、Micropatent等、
−GenBank、SwissProt、PDB等の公的生物学データベース等、
−研究報告、訪問報告、技術報告及び多くのその他
のプロフェッショナル源及びエンドユーザー源であり得る。
【００３１】
この点に関して、データ源からの情報は、情報ブローカーとエンドカスタマによって検索され得る。
【００３２】
本発明の方法に関してエンドユーザーと情報ブローカーによって構造化情報を処理するように、例えば、対応するプログラム／プログラムモジュールの形で得られる適当なファンクショナリティは、例えば：
−構造化データのインポート、
−異なるフォーマットのデータ（テキスト、テーブル、…）のエクスポート、
−文書のアペンド、
−テーブルフォーマット、マトリックスフォーマット、ヒストグラムフォーマット等の
セットの文書として、グラフィックス及びテーブルを有する／有しない個々の文書としての情報の視覚表示、
−情報（例えば、原特許、文書注文サービス）に直接関係するサプリメンタリ情報でイントラネット／インターネットサービスに直接アクセス、
−トランキングを含む英数字原則に従ってソート、
−種々のモードでのテキスト検索：例えば、トランキングを用いた個々の用語の"Easy"、選択すべき記述子分野におけるブール演算子の助けの"Advanced"、選択すべき記述子分野における正規表現とリストの助けの"Expert"等、ヒストグラムでの検索結果の表現、対応する文書との相関関係、
−種々のモードでの化学構造検索：正確な構造、サブ構造類似度検索、対応する文書との相関関係、
−生物学的配列検索：ＤＮＳ／たんぱく質／ペプチド／バイオポリマー配列（又、カーボハイドレート）に対するローカルアラインメント検索又はグローバルアラインメント検索、対応する文書との相関関係、
−ヒストグラムによる検索結果の優先度リスト、対応する文書との相関関係と優先度リストを作製するための評価パラメータの適合を示すように、符号化分類（ＩＰＣ、ＭＣ、ＤＣ等）及び／又はニューラルネットワークの助けによる検索用語頻度を使用することによる類似文書の検索。データマイニングは、とりわけ、１次元及び多次元記述子解析：選択すべき任意の記述子についてヒストグラム図（ソート可能）における１次元での解析、マトリックス形式の２次元でのマルチステージ解析、対応する文書との相関関係のために機能する。記述子ベースの指紋ベクトルに基づく自動クラスタ・類似度解析、
−個々の概念形成（個々のカスタマ）／制御された語彙（カスタマグループ）を使用することにより「記述子−コンテント」の原則に従う個々の文書及び／又は組の文書についてのコメント付与、
−自動「記述子−コンテント」発生／検索結果又は定義すべき判定基準に基づくコメント付与、
−符号化分類のプレインテキストへの変換、
−オーガナイズ（削除、格納、マーキング、グループ化）
である。
【００３３】
データベースは別にして、使用される記憶媒体は、いかなる型式の固定記憶媒体及び／又はハードディスク（ｆｔｐによるデータ転送）、フロッピーディスク、ＣＤ−ＲＯＭ、ＤＶＤ−ＲＯＭ、ブルーレイディスク、フラッシュディスク（ＵＳＢスティック）等の携帯記憶媒体であり得る。
【００３４】
格納された結果文書と、好ましくは、結果文書を表すために格納された読取りプログラム又はビューイングプログラムと共に、これらの記憶媒体は、本発明の方法の技術的な最終製品を表す。この最終製品は、又、本願の主題でもある。
【００３５】
本方法を支援する対応コンピュータプログラムと、以下のワークフローで一例として非排他的に示す基本的概念も、又、本願の主題である。
【発明を実施するための最良の形態】
【００３６】
プリレコーデッド構造化情報を格納するなんらかの型式の記憶媒体を提供する方法は、図１において注文管理のワークフロー１と情報管理解析システムのワークフロー２の２個のワークフローで記載され得る。
【００３７】
注文管理トラッキングシステムのワークフロー１（図２）：
個々のカスタマ又はカスタマグループ（Ａ）の代表としてのカスタマが、そのカスタマデータ（ｂ）を入力することによって、イントラネット／インターネットで得られる電子フォーム（ａ）で検索注文を発行する。考えられる注文は、特定の題目又は例えば、競争を調べるための、継続する文献及び特許のトラッキングに関する個々の注文である。
【００３８】
その注文は、注文データベース（Ｃ）に入力され、サーチャー（Ｂ）に割当てられ（ｃ）、処理される。カスタマ（Ａ）とサーチャー／情報ブローカー（Ｂ）は、プロセス（ａ）と（ｃ）についてｅメール通知を受ける。注文の意味での情報が発見されると、文書化の一部は、注文フォームで情報ブローカーによって完了させられ（ｃ）、元の注文に関して、結果メタデータに関する説明データを有する結果文書が結果データベース（Ｅ）において発生させられ（ｄ）、又、結果データが、情報管理解析システム（ワークフロー２、図３）に格納され、そこで得られるファンクショナリティの助けで処理及び再評価され、
更に、結果データが、結果データベース（Ｅ）にオプションとして格納され得る。カスタマ（Ａ）は、ｅメール（ｅ）により結果データベース（Ｅ）の結果文書にハイパーリンクを送られ、これにより、カスタマは、情報管理解析システム（ワークフロー２、図３）の結果データにアクセスする。リンク（ｆ）をコールアップする時、カスタマ／カスタマグループ（Ａ）は、カスタマデータベース（Ｄ）又は別の認証サービス（例えば、ＬＤＡＰ）に対して自身を認証しなければならない。
【００３９】
カスタマ（Ａ）は、又、認証（ｂ）の後イントラネット／インターネット（ａ）上でその注文についての情報をプロアクティブに得ることができる。そのステータスについての情報、その注文を取扱う情報ブローカー、発生費用、等が、オーバービューとして提供される。
【００４０】
例えば、注文の上記の文書化、統計的評価のためのデータ（ｇ）のエクスポート、ＳＡＰコンパチブル・フォーマット（Ｆ）での注文のアカウンティングのためのデータ（ｇ）の出力等の注文の管理と処理のための他のファンクショナリティが、検索部門／情報ブローカー（Ｂ）によって利用される。
【００４１】
情報管理解析システムのワークフロー２（図３）：
異なる源からの構造化データ（Ｇ）が、イントラネット／インターネットを介して情報管理解析プログラム（Ｉ）の助けで情報ブローカー又はエンドユーザーによってユニバーサルデータモデル（Ｊ）にインポートされる。又は、クライアントコンピュータ（Ｈ）上のファイルとして、データモデルが、クライアントコンピュータのファイルシステムのＸＭＬファイル（オプションとして圧縮）で得られると共にレプリケーション・メカニズムを介してサーバーコンピュータ（Ｋ）のデータベースにオプションとしてリンクされる。サーバーコンピュータは、インターネット／イントラネットを介してクライアント（Ｈ）に接続され得る。個人データとグループワークの両方を保護する、種々のユーザー又はユーザーグループ用の仮想データベースがある。構造化データは、異なるファンクショナリティの助けで処理されるように、ユニバーサルデータモデル（Ｊ）からクライアントプログラム（Ｉ）にロードされ得る。変更と追加を、ユニバーサルデータモデル（Ｊ）に格納することができる。データは、クライアント（Ｈ）上の異なるフォーマットのファイルとしてエクスポートされ得る。データは、結果データベース（Ｅ）（ワークフロー１参照）内で対応してリンクされた結果文書をアクセスすることによって、検索順序と相関付けることができる。進行中の情報は、インターネットとイントラネット上のサービスについてのプログラム（Ｉ）によってアクセスされ得る。
【図面の簡単な説明】
【００４２】
【図１】プリレコーデッド構造化情報を格納するなんらかの型式の記憶媒体を提供する方法を２個のワークフローで示す。
【図２】注文管理トラッキングシステムのワークフロー１を示す。
【図３】情報管理解析システムのワークフロー２を示す。
【符号の説明】
【００４３】
Ａ  カスタマ
Ｂ  サーチャー
Ｃ  注文データベース
【図１】
2007528543.tif 000002
【図２】
2007528543.tif 000003
【図３】
2007528543.tif 000004